(57)【要約】【課題】レーザ加工技術を利用して、内部に、文字や図形、立体像等の模様が付与された容器を提供する。【解決手段】容器が、１次成形体７の周囲に、透明樹脂からなる２次成形体８が成形一体化された２重成形体を備え、上記２次成形体８の内部の所定部位に、三次元レーザ加工によって立体像９が付与されている【選択図】図１
2005153462.tif 000002
【特許請求の範囲】
【請求項１】
少なくとも一部が透明樹脂成形体によって構成された容器であって、上記透明樹脂成形体内部の所定部位に、三次元レーザ加工によって模様が付与されていることを特徴とする内部模様付容器。
【請求項２】
上記模様が付与された部分における透明樹脂成形体の肉厚が、０．５〜１０ｍｍに設定されている請求項１記載の内部模様付容器。
【請求項３】
少なくとも一部が、１次成形体の周囲に、透明樹脂からなる２次成形体が成形一体化された２重成形体によって構成された容器であって、上記２次成形体内部の所定部位に、三次元レーザ加工によって模様が付与されていることを特徴とする内部模様付容器。
【請求項４】
上記模様が付与された部分における透明樹脂成形体の肉厚が、０．５〜１０ｍｍに設定されている請求項３記載の内部模様付容器。
【発明の詳細な説明】
【技術分野】
【０００１】
本発明は、透明樹脂成形体で構成された部分の内部に、文字や図形、立体像等の模様が付与されている容器に関するものである。
【背景技術】
【０００２】
従来から、レーザ加工技術を利用して、ガラス等の表面に微細な文字や凹凸模様を刻設して装飾品にすることが行われている。また、最近は、上記レーザ加工により、水晶やガラス等の透明素材の内側に三次元立体彫刻を施して身の回り品を装飾することが行われている（特許文献１参照）。あるいは、透明ガラスや透明樹脂の内側に、レーザ加工により彫刻部を形成することによりガラスや樹脂を不透明にすること（特許文献２参照）も行われている。
【特許文献１】特開２００１−１５０８７９号公報
【特許文献２】特開２００３−２５２６５１号公報
【発明の開示】
【発明が解決しようとする課題】
【０００３】
しかしながら、上記のように、素材内部に彫刻を施すレーザ加工技術は、装飾品や摺りガラスの製造等、限られた分野で利用されているにすぎず、様々な技術分野での応用が強く望まれている。
【０００４】
本発明は、このような事情に鑑みなされたもので、レーザ加工技術を利用して、内部に、文字や図形、立体像等の模様が付与された容器の提供をその目的とする。
【課題を解決するための手段】
【０００５】
上記の目的を達成するため、本発明は、少なくとも一部が透明樹脂成形体によって構成された容器であって、上記透明樹脂成形体内部の所定部位に、三次元レーザ加工によって模様が付与されている内部模様付容器を第１の要旨とし、そのなかでも、特に、上記模様が付与された部分における透明樹脂成形体の肉厚が、０．５〜１０ｍｍに設定されている内部模様付容器を第２の要旨とする。
【０００６】
また、本発明は、少なくとも一部が、１次成形体の周囲に、透明樹脂からなる２次成形体が成形一体化された２重成形体によって構成された容器であって、上記２次成形体内部の所定部位に、三次元レーザ加工によって模様が付与されている内部模様付容器を第３の要旨とし、そのなかでも、特に、上記模様が付与された部分における２次成形体の肉厚が、上記２次成形体の肉厚が、０．５〜１０ｍｍに設定されている内部模様付容器を第４の要旨とする。
【発明の効果】
【０００７】
すなわち、本発明の容器は、蓋部や本体等、容器を構成するいくつかの部材のうち、その少なくとも一部が透明樹脂成形体によって構成されており、その透明樹脂成形体内部の所定部位に、三次元レーザ加工によって模様が形成されたものである。この容器によれば、容器を装飾する模様が、容器表面ではなく、その成形体内部に形成されており、容器表面は平滑面のままであるため、模様が磨耗して消失したり、内容物がこぼれて模様部分に付着して残留する等の不都合が生じることがなく、容器を、長期にわたって清浄な状態に保つことができる。また、容器の組み立て、中身の充填・装填、包装等の作業において、容器を位置決めする場合、上記内部模様をセンサ等で検知して位置決めすることができ、特殊なマーキングを容器表面に施す必要がない。
【発明を実施するための最良の形態】
【０００８】
つぎに、本発明を実施するための最良の形態について説明する。
【０００９】
図１は、本発明の内部模様付容器を実施するための最良の形態を示す分解斜視図である。この容器は、化粧料であるリップカラー１を収容するためのもので、リップカラー１を収容保持する円筒状の内筒２と、有底四角筒状の外筒３と、有天四角筒状の蓋体４とで構成されており、上記内筒２の根元部２ａが、外筒３の内側に形成された穴部３ａと一体的に嵌合するようになっている。そして、上記外筒３を周方向に回動操作すると、内筒２の根元部２ａも一体的に回動し、内筒２内からリップカラー１が上方に繰り出されるようになっている。また、逆方向に回動操作すると、リップカラー１は下がって初期位置に収容されるようになっている。なお、上記リップカラー１の繰り出し機構は、従来公知の機構であり、その説明は省略する。
【００１０】
上記容器の外筒３は、１次成形体７と２次成形体８とが一体的に成形された２重成形体からなり、上記１次成形体７は、開口部５が四角筒状で、その下の部分６が有底円筒状になっている。また、上記２次成形体８は、上記１次成形体７の有底円筒状部６の周囲に形成されており、有底略四角筒状になっている。
【００１１】
上記外筒３は、図２（ａ）に示すように、まず、第１の型（図示せず）を用いて１次成形体７を射出成形し、つぎに、図２（ｂ）に示すように、第２の型（図示せず）内の所定位置に上記１次成形体７を組み込んだ状態で２次成形体８を射出成形することによって得られる。なお、上記１次成形体７と２次成形体８は、ともに無色透明のアクリル樹脂によって形成されている。
【００１２】
そして、上記２次成形体８の底部側の、対角線上の２つの角部内側には、三次元レーザ加工によって、りんごの立体像９（図１参照）が内部模様として付与されている。上記立体像９は、図２（ｂ）に矢印で示すように、２方向からレーザ光を照射して、立体像９をつくるための位置に順次、焦点距離をあわせながら移動させ、スポットごとに、その部分の樹脂を焦がすことにより、得ることができる。なお、上記立体像９をつくるための位置データは、予め、レーザ加工装置に、Ｘ、Ｙ、Ｚの三次元座標として記憶されるようになっている。
【００１３】
上記内部模様付容器は、外筒３の根元部の内部に、りんごの立体像９が付与されているため、興趣に富むものである。そして、上記外筒３は、リップカラー１を使用するたびに、手をかけて回動操作を行う部分であるが、上記立体像９が外筒３の内部に形成されており、表面は平滑面のままであるため、その立体像９が磨耗して消失することがない。また、リップカラー１や他の化粧料が容器の周囲に付着しても、表面を拭き取れば簡単に除去することができるため、容器を、長期にわたって清浄な状態に保つことができる。また、容器の組み立てやリップカラーの装填、包装等の作業において、容器を位置決めする場合、上記立体像９の位置をセンサ等で検知して位置決めすることができ、特殊なマーキングを容器表面に施す必要がないという利点を有する。
【００１４】
なお、上記の例では、内部模様としてりんごの立体像９を付与したが、内部模様は、どのような形状であってもよい。様々な立体像の他、例えば図３（ａ）に示すような、厚みがあまり感じられない文字や記号等の模様１０であってもよいし、図３（ｂ）に示すような、帯状に延びる連続模様１１であってもよい。ただし、いずれの模様も、容器を構成する樹脂成形体の肉部内側に形成されていなければならない。
【００１５】
また、上記の例は、リップカラー１の容器において、２重成形体からなる外筒３に内部模様を付与したものであるが、内部模様を付与する成形体は、２重成形体である必要はなく、容器の部材として用いられるどのような成形体であっても差し支えない。ただし、その成形体の、内部模様を付与する部分の肉厚は、０．５〜１０ｍｍに設定することが好適である。すなわち、厚みが０．５ｍｍより薄いと、内部模様を、外から肉眼で見えるようにはっきりとレーザ加工することが容易でなく、逆に、厚みが１０ｍｍより厚いと、嵩高い容器となり、使い勝手のよくないものとなるおそれがあるからである。
【００１６】
そして、内部模様を付与する成形体の樹脂材料は、容器部材として成形できるものであれば、どのような種類の樹脂であっても差し支えないが、内部模様を外から見せる必要があることから、透明樹脂でなければならない。透明性があれば、多少着色されているものであってもよい。なお、上記の例のように、２重成形体の２次成形体に内部模様を付与する場合は、少なくともその２次成形体が透明樹脂で形成されていればよく、内側の１次成形体は、透明であっても不透明であってもよい。
【００１７】
同様に、容器が複数の部材で組み立てられているときは、少なくとも一つの部材が透明樹脂成形体で構成され、その部材に内部模様が付与されていれば足りる。もちろん、一つの透明樹脂成形体が、部分的に透明部分を露出させた状態で、他の部分が不透明フィルムや金属薄膜等で被覆されており、上記透明部分に、内部模様が付与されているものであってもよい。
【００１８】
さらに、上記の例は、本発明をリップカラー１の収容容器に適用したものであるが、容器の種類や形状は、これに限るものではない。例えば、図４に示すように、液状やクリーム状の化粧料を充填した容器において、透明樹脂製の本体１２に、内部模様１３を付与するようにしてもよい。もちろん、蓋部１４側に内部模様１３′を付与するようにしてもよい。また、図５に示すように、コンパクト容器の蓋部１５の内側や、本体１６の化粧料収容部の周囲に、内部模様１７を付与するようにしてもよい。もちろん、蓋部１５の表側に内部模様を付与して、蓋部１５を閉じた状態で内部模様が見えるようにしてもよい。
【００１９】
そして、本発明における三次元レーザ加工は、従来からガラス加工等に用いられるＮｄ：ＹＡＧレーザ等によって行うことができる。そして、加工方法としては、上記の例のように、２本のレーザ光を異なる方向から照射し、目的位置で交点を結ぶようにして加工を施す方法の他、多数のレーザ光を光学的に集束させて焦点をつくり、その部分で樹脂内部に加工を施す方法、２本の測定用レーザ光を目的位置に照射し、その交点を目標として位置決めしながら加工用のレーザ光を照射して加工を行う方法等、適宜の方法を選択して用いることができる。また、レーザ出力は、レーザ装置のタイプにもよるが、通常のＮｄ：ＹＡＧレーザの出力条件の範囲内で、容器の大きさ、模様の大きさ、照射位置等によって適宜設定することができる。
【図面の簡単な説明】
【００２０】
【図１】本発明の一実施例の分解斜視図である。
【図２】（ａ）、（ｂ）は、ともに上記実施例に用いられる外筒の説明図である。
【図３】（ａ）、（ｂ）は、ともに外筒に付与することのできる模様の変形例を示す説明図である。
【図４】本発明の他の実施例を示す説明図である。
【図５】本発明のさらに他の実施例を示す説明図である。
【符号の説明】
【００２１】
７  １次成形体
８  ２次成形体
９  立体像
【図１】
2005153462.tif 000003
【図２】
2005153462.tif 000004
【図３】
2005153462.tif 000005
【図４】
2005153462.tif 000006
【図５】
2005153462.tif 000007